【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
多重化された少なくとも２つのホログラムを記録する方法であって、
コヒーレントな光源により発生する物体ビームまたは参照ビームを、２つの焦点を有する第１非球面反射面の少なくとも一部分から反射させて、物体ビームと参照ビームとを交差させることにより、記録媒体内の選択された記憶位置において前記物体ビームと参照ビームとの交差によって画定される平面に干渉パターンを生成して、前記選択された記憶位置に第１ホログラムを記録するステップと、
前記選択された記憶位置において記憶媒体に入射する参照ビームの一部と、前記選択された記憶位置において記憶媒体に入射する物体ビームの一部とのうちの少なくとも一方を、記憶媒体に入射する、前記物体ビームの一部および前記参照ビームの一部の各光学軸により形成される平面内に位置する軸を中心として、選択された方位角だけ回転させるステップとを含み、
前記軸が、記録媒体内の物体ビームと参照ビームとの交差によって画定された平面を通過しており、
前記記録媒体に入射する、前記物体ビームの一部および前記参照ビームの一部の光学経路間の角度が維持されて、方位角多重化された少なくとも２つのホログラムを記録する方法。
【請求項２】
請求項１において、さらに、
選択された記憶位置において記憶媒体に入射する参照ビームの一部、もしくは前記選択された記憶位置において記憶媒体に入射する物体ビームの一部、またはそれらの組合せを、記憶媒体に入射する、前記物体ビームの一部および前記参照ビームの一部の各光学軸により形成される平面に直交する軸を中心として、選択された平面角だけ回転させるステップを含み、
前記軸が、平面角によって多重化された少なくとも２つのホログラムが記録されるように、記録媒体内の物体ビームと参照ビームとの交差によって画定された平面を通過する方法。
【請求項３】
請求項２において、複数の方位角多重化ホログラムおよび平面角多重化ホログラムが記録される方法。
【請求項４】
請求項３において、参照ビームが前記非球面反射面の少なくとも一部分から反射される方法。
【請求項５】
請求項４において、前記非球面反射面の少なくとも一部分は、楕円形反射面の一部分である方法。
【請求項６】
請求項１において、前記非球面反射面は、平面ミラーのグループで構成される分割された表面である方法。
【請求項７】
請求項５において、さらに、参照ビームを少なくとも１つの追加の反射面から反射させることによって、参照ビームを前記楕円形反射面に導くステップを含む方法。
【請求項８】
請求項７において、さらに、
前記楕円形反射面の一部分および前記追加の反射面のうちの一方または両方を、一連の選択された角度で第１軸を中心として少なくとも部分的に回転させることによって、前記選択された記憶位置において記録媒体に入射する参照ビームの一部を、前記記憶位置において記録媒体に入射する、前記物体ビームの一部および前記参照ビームの一部間の角度を維持しながら、前記記憶位置において記録媒体に入射する前記物体ビーム一部の光学軸によって形成される軸に対して、一連の方位角多重化角度｛φｊ｝（ｊは整数）で回転させるステップを含む方法。
【請求項９】
請求項８において、さらに、
前記楕円形反射面の一部分および前記追加の反射面のうちの一方または両方を、一連の選択された角度で、前記第１軸と直交する第２軸を中心として少なくとも部分的に回転させることによって、記録媒体内の選択された記憶位置に入射する、前記物体ビームの一部および前記参照ビームの一部間の角度を、一連の平面多重化角度｛θｉ｝（ｉは整数）で変化させるステップ含む方法。
【請求項１０】
請求項７において、
前記楕円形反射面の一部分および前記追加の反射面のうちの一方または両方を、一連の選択された角度で、第１軸に対して少なくとも部分的に回転させることによって、記憶位置において記録媒体に入射する、前記物体ビームの一部および前記参照ビームの一部間の角度を、一連の平面多重化角度｛θｉ｝（ｉは整数）で変化させるステップと、
選択された平面多重化角度θｉのそれぞれについて、前記楕円形反射面の一部分および前記追加の反射面のうちの一方または両方を、一連の選択された角度で、前記第１軸と直交する第２軸を中心として少なくとも部分的に回転させることによって、前記選択された記憶位置において記録媒体に入射する前記参照ビームの一部を、前記記憶位置において記録媒体に入射する、前記物体ビームの一部および前記参照ビームの一部間の角度を維持しながら、前記記憶位置において記録媒体に入射する前記物体ビームの一部の光学軸によって形成される軸を中心として、一連の方位角多重化角度｛φｊ｝（ｊは整数）で回転させるステップを含む方法。
【請求項１１】
請求項１０において、前記追加の反射面を、前記第１および第２軸に対して少なくとも部分的に回転させる方法。
【請求項１２】
請求項１１において、前記追加の反射面は平面ミラーである方法。
【請求項１３】
請求項１１において、前記追加の反射面は湾曲した反射面である方法。
【請求項１４】
請求項１１において、前記追加の反射面は非球面である方法。
【請求項１５】
請求項１１において、前記追加の反射面および記録媒体が、（ａ）記録媒体の表面と平行で、（ｂ）前記楕円形反射面と交差する面から見て同じ側に配置されている方法。
【請求項１６】
請求項１５において、前記追加の反射面に入射する参照ビームの一部は、前記楕円形反射面の２つの焦点によって形成される軸と同軸である方法。
【請求項１７】
請求項１５において、前記追加の反射面に入射する参照ビームの一部は、前記楕円形反射面の２つの焦点によって形成される軸と同軸でない方法。
【請求項１８】
請求項１１において、前記追加の反射面および記録媒体は互いに、（ａ）記録媒体の表面と平行で、（ｂ）前記楕円形反射面と交差する面の異なる側に配置されている方法。
【請求項１９】
請求項１１において、参照ビームを導くステップは、さらに、
前記追加の反射面から反射された参照ビームを第２の追加の反射面に導くステップと、
前記参照ビームを前記第２の追加の反射面から反射させるステップと、
を含む方法。
【請求項２０】
請求項１１において、参照ビームを導くステップは、さらに、
前記楕円形反射面から反射された参照ビームを第２非球面反射面に導くステップと、
前記参照ビームを前記第２非球面反射面から反射させるステップと、
を含む方法。
【請求項２１】
光記録媒体に方位角多重化されたホログラムを記録する方法であって、
（ａ）一連の方位角多重化角度｛φｊ｝（ｊは整数）をあらかじめ決定するステップと、
（ｂ）前記一連の方位角多重化角度｛φｊ｝から角度｛φａ｝（ａは整数）を選択するステップと、
（ｃ）互いにコヒーレントである物体ビームおよび参照ビームを、前記光記録媒体上の選択されたトラックに沿って位置している選択されたデータ記憶位置に導くステップと、を含み、
前記参照ビームは、２つの焦点を有する非球面ミラーの少なくとも一部分から反射され、
前記記録媒体に入射する参照ビームの一部は、前記記録媒体に入射する物体ビームの一部の光学軸によって形成される軸に対して、方位角φａを有しており、
さらに、
（ｄ）複数の選択されたデータ記憶位置のそれぞれについてステップ（ｃ）を繰り返すことによって、前記光記録媒体の前記選択されたトラックに沿って位置する選択された記憶位置に複数のホログラムを記録するステップと、
（ｅ）別の整数ａについてステップ（ｃ）〜（ｄ）を繰り返し、後続のホログラムを、先に記録された複数のホログラムによって利用された各記憶位置を使用して前記選択されたトラックに記録するステップと、
を含む方法。
【請求項２２】
請求項２１において、さらに、前記光記録媒体上の異なるトラックを選択して、ステップ（ａ）〜（ｅ）を繰り返すことを含む方法。
【請求項２３】
請求項２１において、トラックに沿った前記データ記憶位置は重なり合っておらず、ほぼ接触している方法。
【請求項２４】
請求項２１において、前記光記録媒体はディスクまたはカードである方法。
【請求項２５】
請求項２１において、前記非球面ミラーの少なくとも一部分は楕円形ミラーの一部分である方法。
【請求項２６】
請求項２１において、さらに、参照ビームを少なくとも１つの追加の反射面から反射させるステップを含む方法。
【請求項２７】
光記録媒体上に方位角および角度によって多重化されたホログラムを記録する方法であって、
（ａ）一連の平面多重化角度｛θｉ｝（ｉは整数）をあらかじめ決定するステップと、
（ｂ）一連の方位角多重化角度｛φｊ｝（ｊは整数）をあらかじめ決定するステップと、
（ｃ）前記一連の平面多重化角度｛θｉ｝および一連の方位角多重化角度｛φｊ｝からそれぞれθａおよびφｂを独立に選択して、角度の組（θａ、φｂ）（ａおよびｂは整数）を選択するステップと、
（ｄ）互いにコヒーレントである物体ビームおよび参照ビームを、前記光記録媒体上の選択されたトラックに沿って位置しているデータ記憶位置に導くステップと、
を含み、
前記参照ビームは、２つの焦点を有する非球面ミラーの少なくとも一部分から反射され、
前記記録媒体に入射する、前記物体ビームの一部および前記参照ビームの一部間の角度がθａであり、
前記記録媒体に入射する前記参照ビームの一部は、前記記録媒体に入射する前記物体ビームの一部の光学軸によって形成される軸に対して、方位角φｂを有する、方法。
【請求項２８】
請求項２７において、さらに、
（ｅ）選択されたトラックに沿って位置する複数のデータ記憶位置についてステップ（ｄ）を繰り返し、複数のホログラムのそれぞれを、光記録媒体上の選択されたトラックに沿った記憶位置に記録するステップと、
（ｆ）別の整数ａおよびｂについてステップ（ｃ）〜（ｅ）を繰り返し、後続のホログラムを、先に記録された複数のホログラムによって利用された各記憶位置を使用して、前記選択されたトラックに沿って記録するステップと、
を含む方法。
【請求項２９】
請求項２７において、さらに、
（ｅ）選択されたトラック上の同一記憶位置において別の整数ａおよびｂについてステップ（ｄ）を繰り返し、複数のホログラムのそれぞれを光記録媒体上の選択されたトラック上の同一記憶位置に記録するステップと、
（ｆ）前記選択されたトラックに沿って位置する別の記憶位置について、ステップ（ｃ）〜（ｅ）を繰り返すステップと、
を含む方法。
【請求項３０】
請求項２７において、さらに、前記光記録媒体上の別のトラックを選択してステップ（ａ）〜（ｆ）を繰り返すステップを含む方法。
【請求項３１】
請求項２７において、トラックに沿った前記データ記憶位置は重なり合っておらず、ほぼ接触している方法。
【請求項３２】
請求項２７において、前記光記録媒体がディスクまたはカードである方法。
【請求項３３】
請求項２７において、前記非球面ミラーの少なくとも一部分は楕円形ミラーの一部分である方法。
【請求項３４】
請求項２７において、さらに、参照ビームを少なくとも１つの追加の反射面から反射させるステップを含む方法。
【請求項３５】
請求項３４において、前記追加の反射面は、第１軸に対して少なくとも部分的に回転可能であり、第２軸に対しても少なくとも部分的に回転可能である方法。
【請求項３６】
請求項３５において、
前記追加の反射面を、選択された一連の角度で前記第１軸を中心として少なくとも部分的に回転させることによって、記録媒体に入射する、前記物体ビームの一部および前記参照ビームの一部間の角度を、一連の平面多重化角度｛θｉ｝で変化させるステップと、
前記追加の反射面を、選択された一連の角度で前記第１軸と直交する前記第２軸を中心として少なくとも部分的に回転させることによって、記録媒体に入射する前記参照ビームの一部を、記録媒体に入射する、前記物体ビームの一部および前記参照ビームの一部間の角度を維持しながら、記録媒体に入射する前記物体ビームの一部の光学軸によって形成される軸に対して一連の方位角多重化角度｛φｊ｝で回転させるステップと、
を含む方法。
【請求項３７】
請求項３５において、前記追加の反射面を前記第１および第２軸に対して少なくとも部分的に回転させる方法。
【請求項３８】
請求項３７において、前記追加の反射面は平面ミラーである方法。
【請求項３９】
請求項３７において、前記追加の反射面は湾曲した反射面である方法。
【請求項４０】
請求項３７において、前記追加の反射面は非球面の表面である方法。
【請求項４１】
請求項３６において、前記追加の反射面および記録媒体は、（ａ）記録媒体の表面と平行で、（ｂ）前記楕円形反射面と交差する面から見て同じ側に配置されている方法。
【請求項４２】
請求項４１において、前記追加の反射面に入射する前記参照ビームの一部は、前記楕円形反射面の２つの焦点によって形成される軸と同軸である方法。
【請求項４３】
請求項４１において、前記追加の反射面に入射する前記参照ビームの一部は、前記楕円形反射面の２つの焦点によって形成される軸と同軸でない方法。
【請求項４４】
請求項３６において、前記追加の反射面および記録媒体は互いに、（ａ）記録媒体の表面と平行で、（ｂ）前記楕円形反射面と交差する面から見て異なる側に配置されている方法。
【請求項４５】
請求項３６において、参照ビームを導くステップは、さらに、
前記追加の反射面から反射された参照ビームを第２の追加の反射面に導くステップと、
前記参照ビームを前記第２の追加の反射面から反射させるステップと、
を含む方法。
【請求項４６】
請求項３６において、参照ビームを導くステップは、さらに、
前記楕円形反射面から反射された参照ビームを第２非球面反射面に導くステップと、
前記参照ビームを前記第２非球面反射面から反射させるステップと、
を含む方法。
【請求項４７】
方位角および角度多重化され、光記録媒体に記録されたホログラムを読み出す方法であって、
（ａ）光記録媒体内の記録された記憶位置のうち、選択されたトラックに沿って位置する選択された記憶位置に記録された少なくとも１つの多重化ホログラムをあらかじめ選択するステップと、
（ｂ）前記選択された多重化ホログラムの記録に使用される複数の方位角多重化角度｛φｊ｝（ｊは整数）の少なくとも１つをあらかじめ決定するステップと、
（ｃ）前記一連の方位角多重化角度｛φｊ｝から角度｛φａ｝（ａは整数）を選択するステップと、
（ｄ）参照ビームを前記選択されたデータ記憶位置に導くステップと、
を含み、
前記参照ビームは、２つの焦点を有する非球面ミラーの少なくとも一部分から反射され、
前記記録媒体に入射する参照ビームの一部は、前記選択された多重化ホログラムの記録に使用された物体ビームの光学軸によって形成される軸に対して方位角φａを有しており、
選択された多重化ホログラムの再生は、再生光学系によって、多重化ホログラムからの回折パターンを検出器に伝達することを含み、
さらに、
（ｅ）別の整数ａについて、少なくとも１つの選択されたトラックに沿ったデータ記憶位置にすでに記録されている複数の選択された多重化ホログラムに対して、他の選択された多重化ホログラムを読み出すのに必要なステップと同様にステップ（ｄ）を繰り返すことにより、前記光記録媒体のトラックに沿う選択された記憶位置に位置している複数の選択された多重化ホログラムを読み出すステップと、
を含む方法。
【請求項４８】
方位角および角度で多重化され、光記録媒体に記録されたホログラムを読み出す方法であって、
（ａ）光記録媒体内の記録された記憶位置のうち、選択されたトラックに沿って位置する選択された記憶位置に記録された少なくとも１つの多重化ホログラムをあらかじめ選択するステップと、
（ｂ）前記選択された多重化ホログラムの記録に使用される複数の平面多重化角度｛θｉ｝（ｉは整数）のうちの少なくとも１つをあらかじめ決定するステップと、
（ｃ）前記選択された多重化ホログラムの記録に使用される複数の方位角多重化角度｛φｊ｝（ｊは整数）のうちの少なくとも１つをあらかじめ決定するステップと、
（ｄ）前記一連の平面多重化角度｛θｉ｝および前記一連の方位角多重化角度｛φｊ｝からそれぞれθａおよびφｂを選択して、角度の組（θａ、φｂ）（ａおよびｂは整数）を選択するステップと、
（ｅ）参照ビームを前記選択されたデータ記憶位置に導くステップと、
を含み、
前記参照ビームは、２つの焦点を有する非球面ミラーの少なくとも一部分から反射され、
前記選択された多重化ホログラムの記録に使用され、記録媒体の前記選択された記憶位置に入射した物体ビームの一部と、記録媒体の前記選択された記憶位置に入射する参照ビームの一部との間の角度はθａであり、
記録媒体に入射する参照ビームの一部は、前記選択された多重化ホログラムの記録に使用された物体ビームの光学軸によって形成される軸に対して、方位角φｂを有しており、
選択された多重化ホログラムの再生は、再生光学系によって多重化ホログラムからの回折パターンを検出器に伝達することを含み、
さらに、
（ｆ）異なる整数ａおよびｂについて、少なくとも１つの選択されたトラックに沿ったデータ記憶位置にすでに記録されている複数の選択された多重化ホログラムに対して、他の選択された多重化ホログラムを読み出すのに必要なステップと同様にステップ（ｅ）を繰り返し、前記光記録媒体のトラックに沿う選択された記憶位置に位置している複数の選択された多重化ホログラムを読み出すステップと、
を含む方法。
【請求項４９】
ホログラフィックによって記憶される情報を記録する装置であって、
記録媒体と、
２つの焦点を有する非球面反射面の少なくとも一部分と、
少なくとも１つの追加の反射面と、
前記非球面反射面の少なくとも一部分または前記少なくとも１つの追加の反射面のうちの少なくとも一方を、第１軸を中心として回転させ、さらに前記第１軸とは別の直交する第２軸を中心として回転させる駆動機構と、
互いにコヒーレントである物体ビームおよび参照ビームを、それぞれの光学経路に沿って案内する手段と、
を備え、
物体ビームまたは参照ビームが、前記非球面反射面の少なくとも一部分から反射され、前記記録媒体内の記憶位置において、物体ビームおよび参照ビームが互いに交差して干渉パターンを形成する装置。
【請求項５０】
請求項４９において、前記非球面反射面の少なくとも一部分は楕円形反射面の一部分である装置。
【請求項５１】
請求項５０において、前記少なくとも１つの追加の反射面は、前記第１および第２軸を中心として別々に回転させることができる装置。
【請求項５２】
請求項５１において、前記追加の反射面を回転させる前記駆動機構は２次元ガルバノメータである装置。
【請求項５３】
請求項５１において、前記追加の反射面を回転させる前記駆動機構はＭＥＭＳ装置である装置。
【請求項５４】
請求項５１において、前記追加の反射面を回転させる前記駆動機構は、別個に制御される２つの１次元ガルバノメータを備えている装置。
【請求項５５】
請求項５１において、前記追加の反射面を回転させる前記駆動機構は、回転駆動機構に取り付けられた１次元ガルバノメータである装置。
【請求項５６】
請求項５１において、前記楕円形反射面の第１焦点が前記少なくとも１つの追加の反射面に位置しており、前記楕円形反射面の第２焦点が前記記録媒体の表面または内部に位置している装置。
【請求項５７】
請求項５６において、
物体ビームまたは参照ビームが、物体ビームまたは参照ビームを前記追加の反射面から反射させることによって前記楕円形反射面に導かれ、
前記追加の反射面は少なくとも１つの軸を中心として回転して、前記物体ビームまたは参照ビームを、前記楕円形反射面上で少なくとも約４５°の範囲の方位角の円弧にわたって偏向できる装置。
【請求項５８】
請求項５７において、
前記追加の反射面は少なくとも１つの軸を中心として回転して、前記物体ビームまたは参照ビームを、前記楕円形反射面上で少なくとも約９０°の範囲の方位角の円弧にわたって偏向できる装置。
【請求項５９】
請求項５７において、
前記追加の反射面は少なくとも１つの軸を中心として回転して、前記物体ビームまたは参照ビームを、前記楕円形反射面上で少なくとも約９０°以上で１８０°以下の範囲の方位角の円弧にわたって偏向できる装置。
【請求項６０】
請求項５７において、
前記追加の反射面は少なくとも１つの軸を中心として回転して、前記物体ビームまたは参照ビームを、前記楕円形反射面上で少なくとも約９０°以上で２７０°以下の範囲の方位角の円弧にわたって偏向できる装置。
【請求項６１】
請求項５７において、
前記追加の反射面は少なくとも１つの軸を中心として回転して、前記物体ビームまたは参照ビームを、前記楕円形反射面上の少なくとも約９０°以上で３６０°以下の範囲の方位角の円弧にわたって偏向できる装置。
【請求項６２】
請求項５７において、
前記追加の反射面は少なくとも１つの軸を中心として回転して、前記物体ビームまたは参照ビームを、前記楕円形反射面上で少なくとも約１８０°以上で３６０°以下の範囲の方位角の円弧にわたって偏向できる装置。
【請求項６３】
請求項５７において、前記追加の反射面は平面ミラーである装置。
【請求項６４】
請求項５７において、前記追加の反射面は湾曲した反射面である装置。
【請求項６５】
請求項５７において、前記追加の反射面は非球面の表面である装置。
【請求項６６】
請求項５７において、前記追加の反射面および前記記録媒体は互いに、（ａ）前記記録媒体の表面と平行で、（ｂ）前記楕円形反射面と交差する面から見て同じ側に配置されている装置。
【請求項６７】
請求項６６において、前記平面ミラーに入射する参照ビームの一部は、前記楕円形反射面の２つの焦点によって形成される軸と同軸である装置。
【請求項６８】
請求項６６において、前記平面ミラーに入射する参照ビームの一部は、前記楕円形反射面の２つの焦点によって形成される軸と同軸でない装置。
【請求項６９】
請求項５７において、前記追加の反射面および前記記録媒体は互いに、（ａ）前記記録媒体の表面と平行で、（ｂ）前記第１楕円形反射面と交差する面の異なる側に配置されている装置。
【請求項７０】
請求項５７において、さらに、第２の追加の反射面を有し、前記追加の反射面から反射された参照ビームは前記第２の追加の反射面に導かれる装置。
【請求項７１】
請求項５７において、さらに、第２非球面反射面を有し、前記楕円形反射面から反射された参照ビームは前記第２非球面反射面に導かれる装置。
【請求項７２】
ホログラフィックによって記憶される情報の読出しおよび／または書込みの装置であって、
ホログラムとして先に記録された情報を含む光記録媒体と、
２つの焦点を有する非球面反射面の少なくとも一部分と、
少なくとも１つの追加の反射面と、
選択された少なくとも１つのホログラムを再生する再生光学系と、
前記選択された再生ホログラムを検出する検出器と、
前記非球面反射面の少なくとも一部分または前記少なくとも１つの追加の反射面のうちの少なくとも一方を、第１軸および前記第１軸とは別の直交する第２軸を中心として回転させる駆動機構と、
参照ビームを、参照ビームの光学経路に沿って案内する手段と、
備え、
前記参照ビームは、前記非球面反射面の少なくとも一部分から反射され、前記記録媒体内の選択された少なくとも１つの記憶位置に入射する装置。
【請求項７３】
請求項７２において、前記選択された多重化ホログラムの再生は、再生用光学系によって、前記選択された多重化ホログラムからの回折パターンを検出器に伝達することを含んでいる装置。
【請求項７４】
請求項７２において、さらに、
互いにコヒーレントである物体ビームおよび参照ビームを、それぞれの光学経路に沿って案内する手段を含んでいる装置。
【請求項７５】
請求項７４において、物体ビームまたは参照ビームが、前記非球面反射面の少なくとも一部分から反射され、前記記録媒体内の記憶位置において、物体ビームと参照ビームとが交差して干渉パターンを形成する装置。
【請求項７６】
光記録媒体を備える情報記憶装置であって、
前記媒体が複数のトラックを含み、
前記トラックのそれぞれが、複数のデータ記憶位置を有し、
前記記憶位置のそれぞれは、ホログラフによって記録された複数の画像を記憶し、
ホログラフによって記録されて各記憶位置に記憶される画像は、平面角多重化および／または方位角多重化されており、
前記データ記憶位置は、重なり合っておらず、ほぼ接触している情報記憶装置。
【手続補正２】
【補正対象書類名】明細書
【補正対象項目名】００１１
【補正方法】変更
【補正の内容】
【００１１】
１つの実施形態において、本発明は多重化された少なくとも２つのホログラムを記録する方法である。この方法は、物体ビームまたは参照ビームを、２つの焦点を有する第１非球面反射面の少なくとも一部分から反射させるステップ、ならびに選択された記憶位置で記録媒体に入射する参照ビームの一部と選択された記憶位置で記録媒体に入射する物体ビームの一部のうちの少なくとも一方を、記録媒体に入射する、前記物体ビームの一部および前記参照ビームの一部の光路間の角度を維持しつつ、記憶媒体に入射する、前記物体ビームの一部および前記参照ビームの一部の各光学軸によって形成される平面内に位置する軸を中心として、選択された方位角だけ回転させるステップを有している。回転の軸は、記録媒体における物体ビームと参照ビームとの交差によって画定される平面を通過する。物体ビームおよび参照ビームは、コヒーレントな光源によって生成できる。物体ビームと参照ビームとが交差し、記録媒体内の選択された記憶位置において物体ビームと参照ビームとの交差によって画定される平面に干渉パターンが形成され、これにより選択された記憶位置に第１ホログラムが記録され、前記回転の後に選択された記憶位置に第２ホログラムが記録される。
【手続補正３】
【補正対象書類名】明細書
【補正対象項目名】００１２
【補正方法】変更
【補正の内容】
【００１２】
別の実施形態においては、本発明は、方位角で多重化されたホログラムを光記録媒体に記録する方法であって、（ａ）一連の方位角多重化角度｛φｊ｝（ｊは整数）をあらかじめ決定するステップ、（ｂ）前記一連の方位角多重化角度｛φｊ｝から角度φａ（ａは整数）を選択するステップ、（ｃ）互いにコヒーレントである物体ビームおよび参照ビームを、光記録媒体上の選択されたトラックに沿って位置している選択されたデータ記憶位置に導くステップ、（ｄ）選択された複数のデータ記憶位置のそれぞれについてステップ（ｃ）を繰り返すことによって、前記光記録媒体の前記選択されたトラックに沿って位置する選択された記憶位置に複数のホログラムを記録するステップ、および（ｅ）別の整数ａの角度φについてステップ（ｃ）〜（ｄ）を繰り返し、後続のホログラムを、先に記録された複数のホログラムによって利用された各記憶位置を使用して前記選択されたトラックに記録するステップを含んでいる。参照ビームは、２つの焦点を有する非球面ミラーの少なくとも一部分から反射される。この方法の動作の際に、記録媒体に入射する参照ビームの一部は、記録媒体に入射する物体ビームの一部の光学軸によって形成される軸に対して、方位角φａを有している。
【手続補正４】
【補正対象書類名】明細書
【補正対象項目名】００１３
【補正方法】変更
【補正の内容】
【００１３】
別の実施形態においては、本発明は、方位角および角度によって多重化されたホログラムを光記録媒体に記録する方法であって、（ａ）一連の平面多重化角度｛θｉ｝（ｉは整数）をあらかじめ決定するステップ、（ｂ）一連の方位角多重化角度｛φｊ｝（ｊは整数）をあらかじめ決定するステップ、（ｃ）前記一連の平面多重化角度｛θｉ｝および前記一連の方位角多重化角度｛φｊ｝からそれぞれθａおよびφｂを独立に選択して、角度の組（θａ、φｂ）（ａおよびｂは整数）を選択するステップ、および（ｄ）互いにコヒーレントである物体ビームおよび参照ビームを、光記録媒体上の選択されたトラックに沿って位置しているデータ記憶位置に導くステップを有している。この方法の動作の際、参照ビームは、２つの焦点を有する非球面ミラーの少なくとも一部分から反射され、記録媒体に入射する物体ビームおよび参照ビームの一部の間の角度はθａであり、前記記録媒体に入射する参照ビームの一部は、記録媒体に入射する物体ビームの一部の光学軸によって形成される軸に対して、方位角φｂを有している。さらにこの方法は、（ｅ）選択されたトラックに沿って位置する複数のデータ記憶位置についてステップ（ｄ）を繰り返し、複数のホログラムのそれぞれを、光記録媒体上の選択されたトラックに沿った記憶位置に記録するステップ、および（ｆ）異なる整数ａおよびｂについてステップ（ｃ）〜（ｅ）を繰り返し、後続のホログラムを、先に記録された複数のホログラムによって利用された各記憶位置を使用して、前記選択されたトラックに沿って記録するステップを含んでいる。
【手続補正５】
【補正対象書類名】明細書
【補正対象項目名】００１４
【補正方法】変更
【補正の内容】
【００１４】
別の実施形態においては、本発明は、方位角および角度多重化され、光記録媒体に記録されたホログラムを読み出す方法であって、（ａ）光記録媒体内の記録された記憶位置のうち、選択されたトラックに沿って位置する選択された記憶位置に記録された少なくとも１つの多重化ホログラムをあらかじめ選択するステップ、（ｂ）前記選択された多重化ホログラムを記録するのに使用される複数の平面多重化角度｛θｉ｝（ｉは整数）のうちの少なくとも１つをあらかじめ決定するステップ、（ｃ）前記選択された多重化ホログラムを記録するのに使用される複数の方位角多重化角度｛φｊ｝（ｊは整数）のうちの少なくとも１つをあらかじめ決定するステップ、（ｄ）前記一連の平面多重化角度｛θｉ｝および前記一連の方位角多重化角度｛φｊ｝からそれぞれθａおよびφｂを選択して、角度の組（θａ、φｂ）（ａおよびｂは整数）を選択するステップ、（ｅ）参照ビームを、前記選択されたデータ記憶位置に導くステップ、および（ｆ）異なる整数ａおよびｂについて、少なくとも１つの選択されたトラックに沿ったデータ記憶位置に先に記録されている複数の選択された多重化ホログラムに対して、他の選択された多重化ホログラムの読出しに必要とされるのと同様にステップ（ｅ）を繰り返すことにより、前記光記録媒体のトラックに沿う選択された記憶位置に位置している複数の選択された多重化ホログラムを読み出すステップ含んでいる。この方法を実行する際、参照ビームは、２つの焦点を有する非球面ミラーの少なくとも一部分から反射され、選択された記億位置において記録媒体に入射する参照ビームの一部と前記選択された記億位置において記録媒体に入射する物体ビームの一部との間の角度はθａであり、記録媒体に入射する参照ビームの前記一部は、前記選択された多重化ホログラムを記録するのに使用された物体ビームの光学軸によって形成される軸に対して方位角φｂを有しており、選択された多重化ホログラムの再生は、再生光学系により多重化ホログラムからの回折パターンを検出器に伝達することを含む。
【手続補正６】
【補正対象書類名】明細書
【補正対象項目名】００１５
【補正方法】変更
【補正の内容】
【００１５】
別の実施形態においては、本発明は、ホログラフィックにより記憶される情報を記録する装置であって、この装置は、記録媒体と、２つの焦点を有する非球面反射面の少なくとも一部分と、少なくとも１つの追加の反射面と、前記非球面反射面の少なくとも一部分または前記少なくとも１つの追加の反射面のうちの少なくとも一方を、第１軸および第１軸とは別の直交する第２軸を中心として回転させる駆動機構と、互いにコヒーレントである物体ビームおよび参照ビームを、それぞれの光学経路に沿って案内する手段とを有している。物体ビームまたは参照ビームは、非球面反射面の少なくとも一部分から反射され、記録媒体内の記憶位置において、物体ビームおよび参照ビームが互いに交差して干渉パターンを形成する。
【手続補正７】
【補正対象書類名】明細書
【補正対象項目名】００１６
【補正方法】変更
【補正の内容】
【００１６】
別の実施形態においては、本発明は、光記録媒体に記録された方位角および角度多重化ホログラムを読み出す方法である。この方法は、（ａ）光記録媒体内の記録された記憶位置のうち、選択されたトラックに沿う選択された記憶位置に記録された少なくとも１つの多重化ホログラムをあらかじめ選択するステップ、（ｂ）前記選択された多重化ホログラムの記録に使用される複数の方位角多重化角度｛φｊ｝（ｊは整数）の少なくとも１つをあらかじめ決定するステップ、（ｃ）前記一連の方位角多重化角度｛φｊ｝から角度｛φａ｝（ａは整数）を選択するステップ、および（ｄ）参照ビームを、前記選択されたデータ記憶位置に導くステップを有する。参照ビームは、２つの焦点を有する非球面ミラーの少なくとも一部分で反射される。記録媒体に入射する参照ビームの一部は、前記選択された多重化ホログラムを記録するのに使用された物体ビームの光学軸によって形成される軸に対して方位角φｂを有している。選択された多重化ホログラムの再生は、再生光学系により多重化ホログラムからの回折パターンを検出器に伝達することを含む。さらにこのステップは、別の整数ａについて、少なくとも１つの選択されたトラックに沿うデータ記憶位置に先に記録されている複数の選択された多重化ホログラムに対して、他の選択された多重化ホログラムの読出しに必要とされるのと同様にステップ（ｄ）を繰り返すことにより、前記光記録媒体のトラックに沿う選択された記憶位置に位置している複数の選択された多重化ホログラムを読み出すことを含んでいる。
【手続補正８】
【補正対象書類名】明細書
【補正対象項目名】００１７
【補正方法】変更
【補正の内容】
【００１７】
別の実施形態においては、本発明は、ホログラフィックにより記憶される情報の読出しおよび／または書込みの装置であって、この装置は、ホログラムとして先に書き込まれた情報を含む光記録媒体と、２つの焦点を有する非球面反射面の少なくとも一部分と、少なくとも１つの追加の反射面と、選択された少なくとも１つのホログラムを再生する再生光学系と、前記選択された再生ホログラムを検出する検出器と、前記非球面反射面の少なくとも一部分または前記少なくとも１つの追加の反射面のうちの少なくとも一方を、第１軸および第１軸とは別の直交する第２軸を中心として回転させる駆動機構と、参照ビームを参照ビームの光学経路に沿って案内する手段とを有する。参照ビームは前記非球面反射面の少なくとも一部分から反射され、前記記録媒体内の選択された少なくとも１つの記憶位置に入射する。